【手続補正書】
【提出日】平成16年6月18日(2004.6.18)
【手続補正１】
【補正対象書類名】明細書
【補正対象項目名】発明の名称
【補正方法】変更
【補正の内容】
【発明の名称】打込部分付き再使用形セパレーター。
【手続補正２】
【補正対象書類名】明細書
【補正対象項目名】請求項１
【補正方法】変更
【補正の内容】
【請求項１】
一対の型枠を保持するセパレーターが、型枠を固定する部分（4）から型枠が取り外されると同時に取り外される型枠止め部品（1）と、初期移動用打撃を受ける打込部分（3）を持ち型枠と90度に形成されるコンクリ−トの厚さを定める部品（2）とを持つのを特徴とする打込部分付き再使用形セパレーター。
【手続補正３】
【補正対象書類名】明細書
【補正対象項目名】請求項２
【補正方法】変更
【補正の内容】
【請求項２】
セパレーターを固定する釘穴は型枠固定する部分（4）に明け、形状は板状のプラスチック成形品と軽量合金成形品及び鉄板折り曲げ品を特徴とする請求項1記載の打込部分付き再使用形セパレーター。
【手続補正４】
【補正対象書類名】明細書
【補正対象項目名】請求項３
【補正方法】変更
【補正の内容】
【請求項３】
手ハンマー等の初期移動用に打撃を受ける打込部分（3）が補強されていることを特徴とする請求項2記載の打込部分付き再使用形セパレーター。
【手続補正５】
【補正対象書類名】明細書
【補正対象項目名】請求項４
【補正方法】変更
【補正の内容】
【請求項４】
再使用する為に、型枠止め部品（1）が初期移動用打撃を受ける打込部分（3）を持ち型枠と90度に形成されるコンクリ−トの厚さを定める部品（2）との着脱を特徴とする請求項3の打込部分付き再使用形セパレーター。
【手続補正６】
【補正対象書類名】明細書
【補正対象項目名】０００２
【補正方法】変更
【補正の内容】
【０００２】【従来の技術】木造建築物の基礎の構造に、建設省告示第1347号（平成12年5月23日）で定義された「べた基礎」が追加された。「べた基礎」は地耐力20KN以上の地盤には数多く採用されつつある。この「べた基礎」のベース部分は健康上の意味合いから建築基準法に定められ地上に50ｍｍ以上を露出せねばならない。その基礎床盤上部の上に立ち上がり部分が従来の埋め込み形セパレーターを使用してコンクリートが打設されている。
【手続補正７】
【補正対象書類名】明細書
【補正対象項目名】０００３
【補正方法】変更
【補正の内容】
【０００３】従来の埋め込み形セパレーターは意匠登録番号0989519に示す通り、製品の断面は逆Ｕ字型のためセパレーターの底部は、約3ＭＭ空閑となりコンクリート打説後には強度と防水性もほとんど無いレイタンス（生コンの灰汁）が詰まっている。
【手続補正８】
【補正対象書類名】明細書
【補正対象項目名】０００４
【補正方法】変更
【補正の内容】
【０００４】そこで、木造建築物の基礎は外装仕上げ等を、使用済みセパレーターの外周部分を折り曲げ撤去後、モルタル刷毛引き仕上げにて行われているが、下記のような問題点があった。
【手続補正９】
【補正対象書類名】明細書
【補正対象項目名】０００５
【補正方法】変更
【補正の内容】
【0005】【発明が解決しようとする課題】  即ち、防水性の無い埋め込み形セパレーターは排水性も少なく、建設中において窓ガラス及び外装の工事終了までは雨の降るたびに基礎床盤上部に溜まった雨水をバケツ及び小型ポンプにて排水作業を強いられている。
【手続補正１０】
【補正対象書類名】明細書
【補正対象項目名】００１０
【補正方法】変更
【補正の内容】
【0010】【課題を解決するための手段】本発明に係る前記課題は、下記構成の打込部分付き再使用形セパレーターによって解消される。
【手続補正１１】
【補正対象書類名】明細書
【補正対象項目名】００１６
【補正方法】変更
【補正の内容】
【００16】【発明の実施の形態】  以下、図1〜図5を参照して本発明に係る再使用形セパレーターの実施形態を説明する。図1は一対の型枠を固定する部分4から型枠を取り外したときの打込部分付き再使用形セパレーターの使用形態を示す斜視図である。
【手続補正１２】
【補正対象書類名】明細書
【補正対象項目名】００１７
【補正方法】変更
【補正の内容】
【００１７】本実施形態における、打込部分付き再使用形セパレーターは再使用を目的としているから、図２に取り外される型枠止め部品1が初期移動用打撃を受ける打込部分3にガイドされて取り付られている。釘穴は型枠を固定する部分に明けてある。材質は取り外される部品1の着脱が容易であり、初期移動用打撃を受ける打込部分３が強固であり軽量である合成樹脂成形品及び鉄板折り曲げ品が好適資材である。
【手続補正１３】
【補正対象書類名】明細書
【補正対象項目名】００１８
【補正方法】変更
【補正の内容】
【００１８】図3は、底面図である。
【手続補正１４】
【補正対象書類名】明細書
【補正対象項目名】００１９
【補正方法】変更
【補正の内容】
【００１９】図4に初期移動用打撃を受ける打込部分が打込部分付き再使用形セパレーターの中央部に全長さ補強されている。
【手続補正１５】
【補正対象書類名】明細書
【補正対象項目名】００２１
【補正方法】変更
【補正の内容】
【0021】【発明の効果】以上の如く、本発明に係る打込部分付き再使用形セパレーターは、以下に記載されるような効果を奏する。
【手続補正１６】
【補正対象書類名】明細書
【補正対象項目名】００２３
【補正方法】変更
【補正の内容】
【００２３】また、打込部分付き再使用形セパレーターが引抜かれたコンクリート穴に内側は防水モルタルを詰め外側はシリコーン等の防水樹脂を詰めることによって、入居後の花壇からの床下浸水も無くすことができる。
【手続補正１７】
【補正対象書類名】明細書
【補正対象項目名】００２６
【補正方法】変更
【補正の内容】
【0026】【図面の簡単な説明】【図１】型枠をとりつける前の打込部分付き再使用形セパレーターの構成を示す斜視図である。【図２】打込部分付き再使用形セパレーターの平面図である。【図３】打込部分付き再使用形セパレーターの底面図である。【図4】打込部分付き再使用形セパレーターの図2におけるＡ〜Ａ断面図である。【図5】図２で示されているＢ〜Ｂ断面図である。【図6】打込部分付き再使用形セパレーターの正面図である。【図７】打込部分付き再使用形セパレーターの右側面図である。【図８】打込部分付き再使用形セパレーターの左側面図である。【図９】打込部分付き再使用形セパレーターの背面図である。【符号の説明】          １    取り外される型枠止め部品コンクリートの厚さを定める部分初期移動用打撃を受ける打込部分型枠を固定する部分釘穴
【手続補正１８】
【補正対象書類名】図面
【補正対象項目名】図１
【補正方法】変更
【補正の内容】
【図１】
2004150150.tif 000001
【手続補正１９】
【補正対象書類名】図面
【補正対象項目名】図２
【補正方法】変更
【補正の内容】
【図２】
2004150150.tif 000002
【手続補正２０】
【補正対象書類名】図面
【補正対象項目名】図３
【補正方法】変更
【補正の内容】
【図３】
2004150150.tif 000003
【手続補正２１】
【補正対象書類名】図面
【補正対象項目名】図４
【補正方法】変更
【補正の内容】
【図４】
2004150150.tif 000004
【手続補正２２】
【補正対象書類名】図面
【補正対象項目名】図５
【補正方法】変更
【補正の内容】
【図５】
2004150150.tif 000005
【手続補正２３】
【補正対象書類名】図面
【補正対象項目名】図６
【補正方法】変更
【補正の内容】
【図６】
2004150150.tif 000006
【手続補正２４】
【補正対象書類名】図面
【補正対象項目名】図７
【補正方法】変更
【補正の内容】
【図７】
2004150150.tif 000007
【手続補正２５】
【補正対象書類名】図面
【補正対象項目名】図８
【補正方法】変更
【補正の内容】
【図８】
2004150150.tif 000008
【手続補正２６】
【補正対象書類名】図面
【補正対象項目名】図９
【補正方法】追加
【補正の内容】
【図９】
2004150150.tif 000009